(57)【要約】【課題】接触子の占有体積を小さくして機器を小型にできるとともに、蓋を開いてバッテリを取り出す際に接触子が邪魔にならず、しかも衝撃印加時のバッテリ変位に対して接触子の十分な追従性が得られるバッテリ収納装置を提供する。【解決手段】蓋１に装備された接触子２は、バッテリＢと接触する接点部２１と、この接点部２１からシャフト３側に延びるアーム部２３とを備えている。蓋１を閉じる際には、シャフト３が蓋１に対して相対的に一方の方向へ移動し、このシャフト３の移動と連動して接点部２１が蓋１から離れる方向に変位する。また、蓋１を開く際には、シャフト３が蓋１に対して相対的に他方の方向へ移動し、このシャフト３の移動と連動して接点部２１が蓋１に近づく方向に変位する。【選択図】図３
2008262814.tif 000002
【特許請求の範囲】
【請求項１】
筐体と、この筐体に設けられたバッテリ収納部と、このバッテリ収納部の開口を開閉する蓋と、この蓋を移動自在に支持するシャフトと、前記蓋に装備され、当該蓋が閉じた状態で前記バッテリ収納部に収納されたバッテリと電気的に接触する接触子とを有するバッテリ収納装置において、
前記接触子は、前記バッテリと接触する接点部と、この接点部からシャフト側に延びるアーム部とを備え、
前記蓋を閉じる際に、前記シャフトが蓋に対して相対的に一方の方向へ移動し、このシャフトの移動と連動して前記接点部が蓋から離れる方向に変位し、
前記蓋を開く際に、前記シャフトが蓋に対して相対的に他方の方向へ移動し、このシャフトの移動と連動して前記接点部が蓋に近づく方向に変位するようにしたことを特徴とするバッテリ収納装置。
【請求項２】
請求項１に記載のバッテリ収納装置において、
前記接触子は、シャフト側へ延びる係止片を備え、
前記蓋が閉じた状態で、前記係止片が前記シャフトに係止することを特徴とするバッテリ収納装置。
【請求項３】
請求項２に記載のバッテリ収納装置において、
前記アーム部に、ロック用の突起が形成されており、
前記蓋が閉じた状態で、前記係止片および前記突起が前記シャフトに係止することを特徴とするバッテリ収納装置。
【請求項４】
筐体と、この筐体に設けられたバッテリ収納部と、このバッテリ収納部の開口を開閉する蓋と、この蓋を回動自在に支持するシャフトと、前記蓋に装備され、当該蓋が閉じた状態で前記バッテリ収納部に収納されたバッテリと電気的に接触する接触子とを有するバッテリ収納装置において、
前記蓋は、前記シャフトが挿通される長孔を備え、
前記接触子は、前記バッテリと接触する１対の接点部と、これらの各接点部から延び前記シャフトを挟んで折り返された略Ｕ字型の１対のアーム部と、これらの各アーム部を連結する連結部と、前記各アーム部の間にあって前記連結部からシャフト側へ延びる係止片とを備え、
前記各アーム部は、シャフト側から接点部側に向かって折り返し部の間隔が狭くなっており、
前記蓋を閉じる際に、前記シャフトが前記長孔内を接点部側に向かって相対的に移動し、このシャフトの移動により前記アーム部の折り返し部の間隔が広がって前記接点部が蓋から離れる方向に変位するとともに、前記係止片が前記シャフトに係止し、
前記蓋を開く際に、前記シャフトが前記長孔内を接点部と反対側に向かって相対的に移動し、このシャフトの移動により前記アーム部の折り返し部の間隔が狭まって前記接点部が蓋に近づく方向に変位するとともに、前記係止片と前記シャフトとの係止が解除されるようにしたことを特徴とするバッテリ収納装置。
【発明の詳細な説明】
【技術分野】
【０００１】
本発明は、各種の電子機器に用いられるバッテリ収納装置に関し、特にバッテリと接触する接触子部分の構造に関する。
【背景技術】
【０００２】
図６は、電子機器のバッテリ収納装置の一例を示す図である。図において、５０は電子機器の筐体、５１は筐体５０に設けられたバッテリ収納部、５２はバッテリ収納部５１の開口を開閉する蓋、５３は蓋５２を回動自在に支持するシャフトである。５４は弾性を有する金属板からなる接触子であって、蓋５２に装備されており、蓋５２が閉じた状態でバッテリ収納部５１に収納されたバッテリＢと電気的に接触する。
【０００３】
図６（ａ）は、蓋５２が閉じた状態を示している。この状態から、図６（ｂ）のように蓋５２を図の矢印方向へ若干持ち上げ、図６（ｃ）の矢印方向へ回動させると、蓋５２が開き、バッテリＢの装填、取り出し、交換などを行うことができる。
【０００４】
下記の特許文献１〜５には、蓋の開閉によりバッテリの着脱を行うバッテリ収納装置が開示されている。
【０００５】
【特許文献１】特開２００６−２６０９７０号公報
【特許文献２】特開２００６−１５６３２２号公報
【特許文献３】特開２００５−２３５５７９号公報
【特許文献４】特開２００５−１８３３３４号公報
【特許文献５】特開２００４−１１１３１９号公報
【発明の開示】
【発明が解決しようとする課題】
【０００６】
図７は、バッテリ収納部５１に収納されたバッテリＢを示す図で、（ａ）は平面図、（ｂ）は側面図である。バッテリＢの一方側の極は、蓋５２が閉じた状態で、上述した接触子５４と接触しており、バッテリＢの他方側の極は、図６では示されていない接触子５５（バッテリ収納部５１の奥に設けられている）と接触している。
【０００７】
今、機器に衝撃が加わって、バッテリＢに図８（ａ）に示す力Ｇが作用すると、バッテリＢはこの力Ｇを受けて図の右方向へ変位する。このとき、接触子５４がバッテリＢに追従しなければ、バッテリＢと接触子５４との間に隙間δが発生して、バッテリＢと接触子５４との電気的接続が断たれ、機器の動作に支障が生じる。そこで、衝撃印加時に、図８（ｂ）に示すとおり、接触子５４がバッテリＢに追従して電気的接続を維持できるように、接触子５４をバッテリＢに対して十分な弾性力で圧接させる必要がある。
【０００８】
このため、従来は、接触子５４の構造として、図９に示すような構造が採用されていた。図９（ａ）は、蓋５２が閉じていて、バッテリ収納部５１（図６）にバッテリＢが収納されていない状態を示している。この状態では、接触子５４は、その弾性力により蓋５２から離れる方向（図で上方向）に付勢されており、接触子５４に形成された接点部５４ａは蓋５２より上方へ突出している。そして、接触子５４に形成されたストッパ片５４ｂが、蓋５２の段部５２ａに当接することで、接触子５４の位置が規制される。
【０００９】
一方、バッテリ収納部５１にバッテリＢが収納されている場合は、蓋５２を閉じると、図９（ｂ）に示すように、接触子５４の接点部５４ａがバッテリＢに押え付けられて、接触子５４が蓋５２に近づく方向（図で下方向）に変位する。このため、接触子５４からバッテリＢに対し反力としての弾性力が作用するので、衝撃が加わってバッテリＢが変位しても、接触子５４はバッテリＢに追従して電気的接続を維持する。なお、図９（ｂ）の状態では、接触子５４のストッパ片５４ｂが、蓋５２の内面に当接することで、接触子５４の位置が規制される。
【００１０】
しかしながら、このような構造の場合、接触子５４をバッテリＢに確実に追従させるには、図９（ａ）のように、バッテリＢに当接していないときの接触子５４を上方へかなり持ち上げておく必要があることから、接触子５４の占有体積が大きくなり、これが機器の小型化の阻害要因となる。また、バッテリＢの交換等のために、図９（ｃ）に示すように蓋５２をシャフト５３の回りに回動させて開くと、接触子５４は、バッテリＢの押圧から解放されるので、弾性力によって再び図９（ａ）の状態に戻る。このため、接点部５４ａが蓋５２より突出し、この接点部５４ａが、矢印方向へ取り出されるバッテリＢに引っ掛かるなどして邪魔になる。これを回避するには、接点部５４ａが蓋５２より突出しないようにすればよいが、そうすると、接触子５４からバッテリＢに作用する弾性力が弱くなるので、衝撃印加時のバッテリＢの変位に接触子５４が十分追従しきれなくなってしまう。以上のような問題を有効に解決し得る手段は、前記の特許文献１〜５に開示されていない。
【００１１】
本発明は、上述した課題を解決するものであって、その目的とするところは、接触子の占有体積を小さくして機器を小型にできるとともに、蓋を開いてバッテリを取り出す際に接触子が邪魔にならず、しかも衝撃印加時のバッテリ変位に対して接触子の十分な追従性が得られるバッテリ収納装置を提供することにある。
【課題を解決するための手段】
【００１２】
本発明では、筐体と、この筐体に設けられたバッテリ収納部と、このバッテリ収納部の開口を開閉する蓋と、この蓋を移動自在に支持するシャフトと、蓋に装備され、当該蓋が閉じた状態でバッテリ収納部に収納されたバッテリと電気的に接触する接触子とを有するバッテリ収納装置において、接触子は、バッテリと接触する接点部と、この接点部からシャフト側に延びるアーム部とを備えている。そして、蓋を閉じる際に、シャフトが蓋に対して相対的に一方の方向へ移動し、このシャフトの移動と連動して接点部が蓋から離れる方向に変位する。また、蓋を開く際に、シャフトが蓋に対して相対的に他方の方向へ移動し、このシャフトの移動と連動して接点部が蓋に近づく方向に変位する。
【００１３】
このような構成によると、蓋が閉じた状態と蓋が開いた状態とで、接触子の接点部の位置が変化する。蓋が閉じた状態では、バッテリのない状態で接点部が蓋から離れる方向に変位しているので、バッテリが装填されて接点部がバッテリに押圧されると、接触子からバッテリに対して十分な弾性力が作用し、衝撃印加時にバッテリが変位しても、接触子は確実に追従して電気的接続を維持することができる。一方、蓋が開いた状態では、接点部が蓋に近づく方向に変位しているので、接点部が蓋から突出しなくなり、バッテリを取り出す際に接触子が邪魔になることがない。また、シャフトの移動と連動して接触子の変位量を大きく確保することができるので、従来と同程度の接触子の追従性を維持しつつ接触子の占有体積を小さくでき、これによって機器の小型化を図ることが可能となる。
【００１４】
本発明の好ましい実施形態では、接触子がシャフト側へ延びる係止片を備えており、蓋が閉じた状態で係止片がシャフトに係止する。これによると、蓋が閉じた状態では、接触子の係止片がシャフトに係止して蓋の動きが規制されるので、蓋が容易にスライドして開いてしまうことが防止される。
【００１５】
また、本発明のさらに好ましい実施形態では、接触子に上記の係止片を設けることに加えて、接触子のアーム部に、ロック用の突起が形成されている。そして、蓋が閉じた状態で、これらの係止片および突起がシャフトに係止する。これによると、蓋を閉じたときに、係止片とロック用突起の双方がシャフトに係止するので、蓋を確実にロックすることができる。
【００１６】
本発明の典型的な実施形態では、筐体と、この筐体に設けられたバッテリ収納部と、このバッテリ収納部の開口を開閉する蓋と、この蓋を回動自在に支持するシャフトと、蓋に装備され、当該蓋が閉じた状態でバッテリ収納部に収納されたバッテリと電気的に接触する接触子とを有するバッテリ収納装置において、蓋はシャフトが挿通される長孔を備え、接触子は、バッテリと接触する１対の接点部と、これらの各接点部から延びシャフトを挟んで折り返された略Ｕ字型の１対のアーム部と、これらの各アーム部を連結する連結部と、各アーム部の間にあって連結部からシャフト側へ延びる係止片とを備えている。また、各アーム部は、シャフト側から接点部側に向かって折り返し部の間隔が狭くなっている。そして、蓋を閉じる際に、シャフトが長孔内を接点部側に向かって相対的に移動し、このシャフトの移動によりアーム部の折り返し部の間隔が広がって接点部が蓋から離れる方向に変位するとともに、係止片がシャフトに係止する。また、蓋を開く際に、シャフトが長孔内を接点部と反対側に向かって相対的に移動し、このシャフトの移動によりアーム部の折り返し部の間隔が狭まって接点部が蓋に近づく方向に変位するとともに、係止片とシャフトとの係止が解除される。
【発明の効果】
【００１７】
本発明によれば、接触子の占有体積を小さくして機器を小型にできるとともに、蓋を開いてバッテリを取り出す際に接触子が邪魔にならず、しかも衝撃印加時のバッテリ変位に対して接触子の十分な追従性が得られるバッテリ収納装置を提供することができる
【発明を実施するための最良の形態】
【００１８】
以下、本発明の実施形態につき、図面を参照しながら説明する。図１および図２は、本発明の実施形態に係るバッテリ収納装置の蓋部分を示している。各図の（ａ）は斜視図、（ｂ）は側面図である。図１は蓋が開いたときの状態であり、図２は蓋が閉じたときの状態である。各図とも、バッテリが装填されていないときの状態を示している。なお、バッテリ収納装置の全体構造は、蓋部分の構造を除いて、図６に示したものと同様である。したがって、以下では、図６の蓋以外の部分を本発明の実施形態として引用することとする。
【００１９】
図１において、１は合成樹脂からなる蓋、２は導電性および弾性を有する金属板で形成された接触子、３は蓋１を回動自在に支持するシャフトである。ここでは便宜上、蓋１を一点鎖線で描いてある。蓋１は、皿状に形成されており、その内面に接触子２が装備されている。接触子２は、例えば熱かしめやネジ締め等の手段により、蓋１に固着されている。１ａ、１ｂは、蓋１を閉じたときに電子機器の筐体５０（図６）の図示しない係合部と係合する突起、１ｃはシャフト３が挿通される長孔である。長孔１ｃは、シャフト３の軸方向に１対設けられている。シャフト３の両端部は、筐体５０に支持されている。このシャフト３が蓋１の長孔１ｃに挿通していることにより、蓋１は、図１（ｂ）の左右方向にスライド可能となっているとともに、シャフト３の回りに回動自在となっている。
【００２０】
接触子２は、２個のバッテリＢの一方と接触する接点２２が設けられた接点部２１と、他方のバッテリＢと接触する接点２５が設けられた接点部２４とを備えている。２３は、接点部２１から延びシャフト３を挟んで折り返された略Ｕ字型のアーム部、２６は、接点部２４から延びシャフト３を挟んで折り返された略Ｕ字型のアーム部、２７は、これらのアーム部２３，２６を連結する連結部である。２８は、アーム部２３，２６の間にあって連結部２７からシャフト３側へ延びる係止片である。アーム部２３は、シャフト３側から接点部２１側に向かって折り返し部の間隔が狭くなっている。また、アーム部２６も、シャフト３側から接点部２４側に向かって折り返し部の間隔が狭くなっている。
【００２１】
図１は、蓋１が開いた状態であり、図６（ｃ）の状態に相当する。この状態から蓋１を閉じるには、図６と逆の操作を行う。すなわち、蓋１をシャフト３の回りに図６（ｃ）の矢印と反対方向に回動させた後、図６（ｂ）の矢印と反対方向にスライドさせ、図６（ａ）の状態にして蓋１を閉じる。このときの状態が図２である。
【００２２】
図１から図２に移行する過程で、シャフト３が蓋１の長孔内１ｃを接点部２１，２４側に向かって相対的に移動する。このシャフト３の移動により、図２のように各アーム部２３，２６の折り返し部がシャフト３で押し広げられ、折り返し部の間隔が広がるので、各接点部２１，２４が蓋１から離れる方向に変位する。また、シャフト３の移動により、図２のように係止片２８がシャフト３に係止する。このため、蓋１が閉じた状態では、係止片２８のシャフト３への係止によって、図２（ｂ）における左方向（図６（ｂ）では矢印方向）への蓋１の動きが規制され、蓋１が容易にスライドして開いてしまうことが防止される。
【００２３】
蓋１が閉じた図２の状態から蓋１を開けるには、図６の操作を行う。すなわち、蓋１を図６（ｂ）の矢印方向（図２（ｂ）では左方向）にスライドさせた後、シャフト３の回りに図６（ｃ）の矢印方向へ回動し、蓋１を開く。これにより、蓋１は図１の状態に戻る。
【００２４】
図２から図１に移行する過程で、シャフト３が蓋１の長孔内１ｃを接点部２１，２４と反対側に向かって相対的に移動する。このシャフト３の移動により、図１のように各アーム部２３，２６の折り返し部の間隔が元通りに狭まり、各接点部２１，２４が蓋１に近づく方向に変位する。また、シャフト３の移動により、図１のように係止片２８とシャフト３との係止が解除される。
【００２５】
図３は、バッテリＢと接触子２との関係を説明する図である。図３（ａ）は、バッテリ収納部５１にバッテリＢが装填されていない場合の、蓋１を閉じた状態であり、図２（ｂ）と同じである。この状態では、接点部２１，２４が蓋１から離れる方向に変位している。図３（ｂ）は、バッテリＢが装填されている場合の、蓋１を閉じた状態を示している。この状態では、接触子２はバッテリＢにより押圧されて蓋１の内面側へ弾性変形し、その反力として接触子２からバッテリＢに対して十分な弾性力が作用する。この結果、衝撃印加時にバッテリＢが図３（ｂ）で上方へ変位しても、接触子２は確実に追従して電気的接続を維持することができる。
【００２６】
図３（ｃ）は、蓋１を開いてバッテリＢを取り出している状態を示しており、このときの接触子２は、図１（ｂ）と同じ状態である。この状態では、接点部２１，２４が蓋１に近づく方向に変位しているので、接点部２１，２４が蓋１から突出しなくなり、バッテリＢを取り出す際に接触子２が邪魔になることがない。
【００２７】
また、本実施形態では、接触子２のアーム部２３，２６の折り返し部の間隔を、蓋１のスライドに伴うシャフト３の相対的移動によって変化させているので、接触子２の高さを低くしても、接触子２の変位（高さ方向の変位）を大きく確保することができる。このため、従来と同程度の接触子２の追従性を維持しつつ、接触子２の占有体積を小さくすることができ、これによって機器の小型化を図ることが可能となる。図４は、本発明と従来とのバッテリ位置を比較した図であり、本発明の場合は、上述したように接触子２の占有体積が小さくなるため、バッテリＢの下端位置が従来よりもαだけ下方となり、このαの分、機器のサイズを小さくすることができる。
【００２８】
図５は、本発明の他の実施形態の要部を示す図である。この実施形態では、接触子２のアーム部２３に、ロック用の突起３０が形成されている（アーム部２６についても同じ）。突起３０は、例えば突き出し加工によって形成され、図５（ａ）のようにアーム部２３の下側に１箇所だけ設けてもよいし、図５（ｂ）のようにアーム部２３の上下に２箇所設けてもよい。図５は蓋１を閉じた状態であって、この状態においては、係止片２８がシャフト３に係止するとともに、突起３０がシャフト３に係止する。このように、係止片２８とロック用突起３０の双方がシャフト３に係止することで、蓋１を確実にロックすることができる。
【００２９】
本発明では、以上述べた実施形態以外にも、種々の実施形態を採用することができる。例えば、上記実施形態においては、蓋１を開く際に、蓋１をいったんスライドした後に回動する例を挙げたが、スライドまたは回動のみで蓋が開く構造であっても本発明は適用が可能である。
【００３０】
また、上記実施形態では、略Ｕ字型のアーム部２３，２６を備えた接触子２を例に挙げたが、本発明の接触子は、蓋１をスライドさせた場合にシャフト３の相対的移動とともに変位するものであればよく、略Ｕ字型のアーム部を備えたものに限定されない。したがって、アーム部は直線状であってもよい。
【００３１】
さらに、上記実施形態では、接触子２に２つの接点部２１，２４が設けられている例を挙げたが、接点部の数は、機器に使用されるバッテリの数に応じて１つまたは３つ以上であってもよいことは言うまでもない。
【図面の簡単な説明】
【００３２】
【図１】本発明の実施形態に係るバッテリ収納装置の蓋部分（蓋が開いた状態）を示す図である。
【図２】本発明の実施形態に係るバッテリ収納装置の蓋部分（蓋が閉じた状態）を示す図である。
【図３】バッテリと接触子との関係を説明する図である。
【図４】本発明と従来とのバッテリ位置を比較した図である。
【図５】本発明の他の実施形態の要部を示す図である。
【図６】電子機器のバッテリ収納装置の一例を示す図である。
【図７】バッテリ収納部に収納されたバッテリを示す図である。
【図８】衝撃が加わった場合のバッテリの状態を示す図である。
【図９】従来の接触子の構造を示す図である。
【符号の説明】
【００３３】
１    蓋
１ｃ  長孔
２    接触子
３    シャフト
２１，２４  接点部
２２，２５  接点
２３，２６  アーム部
２７  連結部
２８  係止片
３０  突起
５０  筐体
５１  バッテリ収納部
Ｂ    バッテリ
【図１】
2008262814.tif 000003
【図２】
2008262814.tif 000004
【図３】
2008262814.tif 000005
【図４】
2008262814.tif 000006
【図５】
2008262814.tif 000007
【図６】
2008262814.tif 000008
【図７】
2008262814.tif 000009
【図８】
2008262814.tif 000010
【図９】
2008262814.tif 000011